(57)【要約】【課題】  体に当接させても異物感を感じることなく、且つ長時間に亘って鞄等を持ち運ぶ場合にも疲れにくく、装着感の良い保持部材の滑り止め構造を提供する。【解決手段】  手荷物収納容器の収納部本体に取り付けられた保持部材の滑り止め構造であって、上記保持部材は所定の長さ寸法及び幅寸法を有する帯体として形成され、上記帯体の一方面部において、身体に当接する位置には、上記帯体の長さ方向に沿って、所定の長さ寸法に亘り、滑り止め面部が設けられ、上記滑り止め面部の全域に亘り、不規則な凹凸部が形成された構成とする。【選択図】  図２
0003152673.tif 000002
【実用新案登録請求の範囲】
【請求項１】
手荷物収納容器の収納部本体に取り付けられた保持部材の滑り止め構造であって、
上記保持部材は所定の長さ寸法及び幅寸法を有する帯体として形成され、
上記帯体の一方面部において、身体に当接する位置には、上記帯体の長さ方向に沿って、所定の長さ寸法に亘り、滑り止め面部が設けられ、
上記滑り止め面部の全域に亘り、不規則な凹凸部が形成されていることを特徴とする保持部材の滑り止め構造。
【請求項２】
上記収納部本体は布製の袋体として形成され、
上記帯体は、上記袋体の開口縁部に両端部が固定されると共に、手で把持しうる手提げ部を形成し、
上記手提げ部は、上記袋体の開口縁部の対向位置において、一対で配設されていることを特徴とする請求項１記載の保持部材の滑り止め構造。
【請求項３】
上記収納部本体は袋体として形成され、
上記帯体は、上記袋体の開口縁部に両端部が固定されると共に、肩に掛けて使用しうる長さ寸法を有する肩掛け部を形成することを特徴とする請求項１記載の保持部材の滑り止め構造。
【請求項４】
上記袋体はナイロン製の基布とポリカーボネート製の表皮材とから形成されていることを特徴とする請求項２又は３いずれか１項記載の保持部材の滑り止め構造。
【請求項５】
上記滑り止め面部はポリオレフィンから形成された合成皮革であることを特徴とする請求項１〜３いずれか１項記載の保持部材の滑り止め構造。
【請求項６】
上記滑り止め面部はポリ塩化ビニル樹脂より形成された合成皮革であることを特徴とする請求項１〜３いずれか１項記載の保持部材の滑り止め構造。
【考案の詳細な説明】
【技術分野】
【０００１】
本考案は、鞄類、及び手提げ袋等に取り付けられた手提げ部、若しくは肩掛け部等の保持部材の滑り止め構造に関する。
【背景技術】
【０００２】
物品を収納する収納部本体に、肩掛け部、又は手で把持するための一対の手提げ部からなる保持部材が配設された鞄、手提げ袋等は一般的に広く流通している。
上記肩掛け部を肩に掛けた場合、撫肩体型の場合はもとより、合成繊維のように表面が滑らかな生地の衣服を着用している場合は、上記肩部が肩から滑り落ち易いという不具合を有していた。
また一対の手提げ部を重ね合わせて手で把持する場合は、重ね合わせた手提げ部がずれ易く、把持する位置が固定されないことから、長時間に亘って鞄等を持ち運ぶ場合に疲れ易いという不具合をも有していた。
上記不具合を解決する為に、合成樹脂もしくは合成皮革等の滑り止め面部が取り付けられた肩掛け部若しくは手提げ部を有する保持部材の滑り止め構造も知られている。
しかしながら、上記滑り止め面部は、上記肩掛け部若しくは手提げ部とは別体として形成され、上記肩掛け部若しくは手提げ部の長さ方向に沿ってスライド可能に取り付けられていることが多い。
従って、上記肩掛け部を肩に掛ける際、若しくは手提げ部を手で把持する際に、予め上記滑り止め面部を身体に当接しうる位置に配置しておく必要があり、非常に煩わしいという不具合を有していた。
また、上記滑り止め面部が保持部材とは別体として形成されていることから、肩掛け部を肩に掛けた際、若しくは把持した際の異物感が否めず、長時間に亘って鞄等を持ち運ぶ場合に、疲れ易く、肩こり等の原因にもなり得るという別途の不具合をも有していた。
【考案の開示】
【考案が解決しようとする課題】
【０００３】
本考案の解決する課題は、体に当接させても異物感を感じることなく、且つ長時間に亘って鞄等を持ち運ぶ場合にも疲れにくく、装着感の良い保持部材の滑り止め構造を提供することにある。
【課題を解決するための手段】
【０００４】
上記課題を解決するために、請求項１の考案にかかる保持部材の滑り止め構造は、手荷物収納容器の収納部本体に取り付けられた保持部材の滑り止め構造であって、上記保持部材は所定の長さ寸法及び幅寸法を有する帯体として形成され、上記帯体の一方面部において、身体に当接する位置には、上記帯体の長さ方向に沿って、所定の長さ寸法に亘り、滑り止め面部が設けられ、上記滑り止め面部の全域に亘り、不規則な凹凸部が形成されていることを特徴とする。
【０００５】
従って、上記滑り止め面部は、位置調整を行わなくても、常に身体と当接する位置に配置され、上記凹凸部によって身体若しくは衣服の当接位置に固定される。
【０００６】
また、請求項２の考案にかかる保持部材の滑り止め構造は、上記収納部本体は布製の袋体として形成され、上記帯体は、上記袋体の開口縁部に両端部が固定されると共に、手で把持しうる手提げ部を形成し、上記手提げ部は、上記袋体の開口縁部の対向位置において、一対で配設されていることを特徴とする。    
従って、上記手提げ部を手で把持した際に、上記滑り止め面部と手とが密着し、搬送中に把持位置がずれ難い。
また、一方の帯体の一方面部と、他方の帯体の他方面部とを重ねた状態で把持することによって、一方の帯体の滑り止め面部と手とが密着すると共に、他方の帯体の滑り止め面部と、上記一方の帯体の他方面部とが密着して固定され、搬送中に重複する帯体がずれ難く、且つ把持位置もずれ難い。
【０００７】
また、請求項３の考案にかかる保持部材の滑り止め構造は、上記収納部本体は布製の袋体として形成され、上記帯体は、上記袋体の開口縁部に両端部が固定されると共に、肩に掛けて使用しうる長さ寸法を有する肩掛け部を形成することを特徴とする。
従って、上記肩掛け部を肩に掛けた際に、滑り止め面部は常時肩に当接し、肩掛け部が肩から滑り落ちることが無い。
【０００８】
また、請求項４の考案に係る保持部材の滑り止め構造は、上記袋体はナイロン製の基布とポリカーボネート製の表皮材とから形成されていることを特徴とする。
従って、上記袋体は加水分解に強く、且つ高い耐候性を有する。
【０００９】
また、請求項５の考案にかかる保持部材の滑り止め構造は、上記滑り止め面部はポリオレフィンから形成された合成皮革であることを特徴とする。
また、請求項６の考案にかかる保持部材の滑り止め構造は、上記滑り止め面部はポリ塩化ビニル樹脂より形成された合成皮革であることを特徴とする。
【考案の効果】
【００１０】
請求項１の考案にあっては、上記保持部材は所定の長さ寸法及び幅寸法を有する帯体として形成され、上記帯体の一方面部において、身体に当接する位置には、上記帯体の長さ方向に沿って、所定の長さ寸法に亘り、滑り止め面部が設けられ、上記滑り止め面部の全域に亘り、不規則な凹凸部が形成されていることから、上記滑り止め面部の位置の調整を行う必要が無く、且つ上記滑り止め面部身体に当接する位置に固定されているため、帯体と一体となって身体及び衣服に密着する。
従って、体に当接させても異物感を感じることなく、且つ長時間に亘って鞄等を持ち運ぶ場合にも疲れにくく、装着感の良い保持部材の滑り止め構造を提供することが可能となる。
【００１１】
また、請求項２の考案にあっては、上記収納部本体は布製の袋体として形成され、上記帯体は、上記袋体の開口縁部に両端部が固定されると共に、手で把持しうる手提げ部を形成し、上記手提げ部は、上記袋体の開口縁部の対向位置において、一対で配設されていることから、上記滑り止め面部と手とが密着し、搬送中に把持位置がずれ難いため、把持し易く、長時間把持していても疲れにくく、且つ手提げ部が一対で設けられているため、搬送時の安定性がより良好となる。
【００１２】
また、請求項３の考案にあっては、上記収納部本体は布製の袋体として形成され、上記帯体は、上記袋体の開口縁部に両端部が固定されると共に、肩に掛けて使用しうる長さ寸法を有する肩掛け部を形成することから、上記肩掛け部を肩に掛けた際に、上記滑り止め面部は常時肩に当接し、上記肩掛け部が肩から滑り落ちることが無く、肩にかけた場合の姿勢が改善されると共に、肩に対して負担がかかり難い保持部材の滑り止め構造を提供することが可能となる。
【００１３】
また、請求項４の考案にあっては、上記袋体はナイロン製の基布とポリカーボネート製の表皮材とから形成されていることから、上記袋体は加水分解に強く、永年使用した場合であっても、耐候性に優れている。
【００１４】
また、請求項５の考案にあっては、上記滑り止め面部はポリオレフィンから形成された合成皮革であることから、原料コストが低く、機械特性に優れるため、磨耗、変形等に対して耐久性が良好な保持部材の滑り止め構造を提供することが可能となる。
また、請求項５の考案にあっては、上記滑り止め面部はポリ塩化ビニルから形成された合成皮革であることから、ポリオレフィンと同様に原料コストが低く、且つ耐水性・耐酸性・耐アルカリ性・耐溶剤性を備えるため、より耐久性が良好な保持部材の滑り止め構造を提供することが可能となる。
【図面の簡単な説明】
【００１５】
【図１】本考案の一実施の形態を示し、実施例の形態における保持部材の滑り止め構造を備えた手提げ袋の全体斜視図である。
【図２】本考案の一実施の形態を示し、実施例の形態における保持部材の滑り止め構造を備えた手提げ袋の保持部材の拡大斜視図である。
【図３】本考案の一実施の形態を示し、実施例の形態における保持部材の滑り止め構造を備えた手提げ袋の手提げ部を把持した状態を示す拡大斜視図である。
【図４】本考案の他の実施の形態を示し、本考案に係る保持部材の滑り止め構造を肩掛け用鞄に適用した場合の全体斜視図である。
【考案を実施するための最良の形態】
【００１６】
本考案の実施するための形態について、保持部材の滑り止め構造を手提げ袋に適用し、且つ滑り止め面部が合成皮革製の滑り止め用布材で形成されている場合を例として図面を用いて説明する。
図１に示すように、本実施例に係る保持部材の滑り止め構造１０に係る保持部材１１は、手提げ袋１２の収納部本体１３に取り付けられている。
上記保持部材１１は所定の長さ寸法及び幅寸法を有する帯体１４として形成され、
上記帯体１４の一方面部１５において、身体に当接する位置には、上記帯体１４の長さ方向に沿って、所定の長さ寸法に亘り、ポリオレフィン又はポリ塩化ビニルから形成された合成皮革製の滑り止め用布材である滑り止め面部１６が貼設固定され、上記滑り止め面部１６の全域に亘り、不規則な凹凸部１８が形成されている。
また、上記収納部本体１３はナイロン製の基布（図１には図示せず）とポリカーボネート製の表示材（図１には図示せず）とからなる袋体１９として形成され、上記帯体１４は、上記袋体１９の開口縁部２０に両端部１４ａ、１４ｂが固定されると共に、図３に示すように、手１７で把持しうる手提げ部２２を形成している。
また、図１に示すように、上記手提げ部２２は、上記袋体１９の開口縁部２０の互いに対向する位置に一対で配設されている。
【実施例１】
【００１７】
以下に、図面を用いて本実施例について詳細を説明する。
図１は、本実施例の形態における保持部材の滑り止め構造１０を備えた手提げ袋１２の全体斜視図である。
図１に示すように、上記手提げ袋１２は、所定の収納容量を備え、開口部２１を有する袋体１９からなる収納部本体１３を有している。
上記帯体１４、１４は、上記袋体１９の開口縁部２０の径方向対向位置において、夫々の両端部１４ａ、１４ｂは幅方向沿って、上記開口縁部２０に固定され、一対の手提げ部２２、２２を形成している。
また、上記開口縁部２０において、上記の帯体１４、１４の夫々の両端部１４ａ、１４ｂの間には、上記開口部２１を閉止しうる舌片状の係止部材２３が配設されている。
図２は、本実施例の形態における保持部材の滑り止め構造１０を備えた手提げ袋１２の保持部材１１の拡大斜視図である。
図２に示すように、合成皮革製の滑り止め用布材である上記滑り止め面部１６、１６は上記帯体１４、１４の一方面部１５、１５における長さ方向略中央部に配置されると共に周縁部が上記帯体１４、１４に逢着されることによって上記帯体１４、１４の一方面部１５、１５上に貼設固定されている。
上記滑り止め面部１６、１６の全域に亘り形成されている凹凸部１８、１８は、合成皮革の所謂銀面模様状に形成されている。
また、上記滑り止め面部１６、１６は微少な粘性を有している。
【００１８】
上記手提げ袋１２を搬送する場合は、図３に示すように、一方の帯体１４、の一方面部１５と他方の帯体１４の他方面部２４とを重ね合わせた上で、上記帯体１４、１４を外方から手１７で把持する。
この際、滑り止め面部１６の有する凹凸部１８との摩擦力、及び上記滑り止め面部１６が有する粘性によって、一方の帯体１４の滑り止め面部１６と手１７とが密着すると共に、他方の帯体１４の滑り止め面部１６は、上記一方の帯体１４の他方面部２４に密着する。
従って、重なった上記帯体１４、１４がずれ難く、且つ手１７の把持位置もずれ難くいため、持ち易く、手提げ部２２、２２を長時間把持していても疲れ難い。
【実施例２】
【００１９】
図４は本考案に係る保持部材の滑り止め構造１０を肩掛け用鞄２５に適用した場合の全体斜視図である。
図４に示すように、上記肩掛け用鞄２５は、所定の収納容量を備え、開口部２６を有する袋体２７からなる収納部本体２８を有している。
上記袋体２７の開口縁部２９の径方向対向位置において、帯体３０の両端部３０ａ、３０ｂは幅方向沿って上記袋体２７の開口縁部２９に固定され、上記帯体３０によって肩掛け部３１が形成されている。
図４に示すように、上記帯体３０の一方面部３５における長さ方向略中央部には合成皮革製の滑り止め用布材である滑り止め面部３２は配置され、周縁部が上記帯体３０に逢着されることによって上記帯体３０の一方面部３５上に貼設固定されている。
上記滑り止め面部３２には、図２に示す滑り止め面部１６と同様に不規則な凹凸部３３が形成されている。
また、上記滑り止め面部３２は微少な粘性を有している。
上記肩掛け用鞄２５を搬送する場合は、図４に示すように、上記帯体３０を肩に掛け、上記滑り止め面部３２と肩部３４とを当接させる。
この際、滑り止め面部３２の凹凸部３３の有する摩擦力、及び上記滑り止め面部３２の有する粘性によって、上記滑り止め面部３２と肩部３４とが密着して固定される。
従って、撫肩体型であっても肩掛け部３１がずれ落ちることが無く、肩掛け時の姿勢が改善され、肩にかかる負担が軽減される。
【００２０】
なお、実施例においては、収納部本体の形状を袋体として説明したが、収納部本体がスーツケース型、アタッシュケース型等に形成されている場合であっても、帯体からなる保持部材を装着可能であれば、本実施例と同様の作用及び効果を得ることが可能である。
また、手提げ袋等の袋体は、軽く丈夫であることが望ましく、特にポリカーボネート素材で形成した袋体は耐久性及び軽量性において優れている。
【産業上の利用可能性】
【００２１】
本考案は、鞄類、及び手提げ袋等に取り付けられた手提げ部、若しくは肩掛け部等の保持部材の滑り止め構造に適用可能である。
【符号の説明】
【００２２】
１０  把持部の滑り止め構造
１１  保持部材
１２  手提げ袋
１３  手提げ袋の収納部本体
１４  帯体
１４ａ帯体端部
１４ｂ帯体端部
１５  帯体の一方面部
１６  滑り止め面部
１７  手
１８  凹凸部
１９  袋体
２０  袋体の開口縁部
２１  袋体の開口部
２２  手提げ部
２３  係止部材  
２４  帯体の他方面部
２５  肩掛け用鞄
２６  開口部
２７  袋体
２８  肩掛け鞄の収納部本体
２９  肩掛け鞄の収納部本体の開口縁部
３０  帯体
３０ａ帯体端部
３０ｂ帯体端部
３１  肩掛け部
３２  滑り止め面部
３３  凹凸部
３４  肩部
３５  帯体の一方面部
【図１】
0003152673.tif 000003
【図２】
0003152673.tif 000004
【図３】
0003152673.tif 000005
【図４】
0003152673.tif 000006